(57)【要約】  様々な実施形態に従って、サイクルエンハンスメントの方法、システム、及び装置を提供する。様々な実施形態は、おおむね冷却及びヒートポンプに関係する。様々なヒートポンプアーキテクチャに対して様々な実施形態が適用可能である。幾つかの実施形態は、産業用途、商業用途、及び／又は住宅用途において蒸気圧縮ヒートポンプと統合されてよい。幾つかの実施形態は、蒸気圧縮サイクルから第１の熱を除去するステップ、蒸気圧縮サイクルからの第１の除去された熱を利用して、熱駆動ヒートポンプを駆動するステップ、又は熱駆動ヒートポンプを利用して、蒸気圧縮サイクルから第２の熱を除去して、蒸気圧縮サイクルの冷媒の温度を下げて周囲温度より低くするステップを少なくとも含みうる方法を含む。
2020512521.tif 000002
【特許請求の範囲】
【請求項１】
蒸気圧縮サイクルから第１の熱を除去するステップと、
前記蒸気圧縮サイクルからの前記第１の除去された熱を利用して、熱駆動ヒートポンプを駆動するステップと、
前記熱駆動ヒートポンプを利用して、前記蒸気圧縮サイクルから第２の熱を除去して、前記蒸気圧縮サイクルの冷媒の温度を下げて周囲温度より低くするステップと、
を含む方法。
【請求項２】
前記蒸気圧縮サイクルからの前記第１の除去された熱を利用して前記熱駆動ヒートポンプを駆動する前記ステップは、前記熱駆動ヒートポンプの冷媒から凝固点抑制剤を分離して、濃縮された凝固点抑制剤を形成するステップを含む、請求項１に記載の方法。
【請求項３】
前記熱駆動ヒートポンプを利用して前記蒸気圧縮サイクルから前記第２の熱を除去して、前記蒸気圧縮サイクルの前記冷媒の温度を下げて前記周囲温度より低くする前記ステップは、
前記濃縮された凝固点抑制剤に固体物質を組み合わせて、前記熱駆動ヒートポンプの前記冷媒の少なくとも一部を形成するステップと、
前記熱駆動ヒートポンプの前記冷媒の前記一部を利用して、前記蒸気圧縮サイクルの前記冷媒の温度を下げて前記周囲温度より低くするステップと、
を含む、
請求項２に記載の方法。
【請求項４】
前記蒸気圧縮サイクルから前記第１の熱を除去する前記ステップは、前記蒸気圧縮サイクルの前記冷媒を、前記熱駆動ヒートポンプに熱的に結合された第１の熱交換器に通すステップを含む、請求項１に記載の方法。
【請求項５】
前記第１の熱交換器は、前記蒸気圧縮サイクルの圧縮器と、前記蒸気圧縮サイクルの凝縮器との間に配置されている、請求項４に記載の方法。
【請求項６】
前記熱駆動ヒートポンプを利用して前記蒸気圧縮サイクルから前記第２の熱を除去して、前記蒸気圧縮サイクルの冷媒の温度を下げて前記周囲温度より低くする前記ステップは、前記蒸気圧縮サイクルの前記冷媒を、前記蒸気圧縮サイクルの凝縮器と、前記蒸気圧縮サイクルの膨張弁との間に配置された第２の熱交換器に通すステップを含む、請求項１に記載の方法。
【請求項７】
前記熱駆動ヒートポンプを利用して前記蒸気圧縮サイクルから前記第２の熱を除去して、前記蒸気圧縮サイクルの冷媒の温度を下げて前記周囲温度より低くするステップは、前記熱駆動ヒートポンプの冷媒を前記第２の熱交換器に通すステップを含む、請求項６に記載の方法。
【請求項８】
前記蒸気圧縮サイクルの前記冷媒が前記蒸気圧縮サイクルの前記膨張弁を通り抜けた後に、受容容器を利用して、少なくとも、液体形態の、前記蒸気圧縮サイクルの前記冷媒、又は蒸気形態の、前記蒸気圧縮サイクルの前記冷媒を受け取るステップを更に含む、請求項６に記載の方法。
【請求項９】
前記蒸気形態の前記冷媒を前記蒸気圧縮サイクルの前記圧縮器に誘導するステップと、
前記液体形態の、前記蒸気圧縮サイクルの前記冷媒の少なくとも第１の部分を第３の熱交換器に誘導するステップであって、前記第３の熱交換器は、前記熱駆動ヒートポンプの冷媒に熱的に結合されていて、前記蒸気圧縮サイクルから第３の熱を除去することにより、前記液体形態の、前記蒸気圧縮サイクルの前記冷媒の前記第１の部分を更に冷却して、その温度を前記周囲温度より低くする、前記ステップと、
を更に含む、請求項８に記載の方法。
【請求項１０】
前記第２の熱交換器及び前記第３の熱交換器を直列で利用することを更に含む、請求項９に記載の方法。
【請求項１１】
前記第２の熱交換器及び前記第３の熱交換器を並列で利用することを更に含む、請求項９に記載の方法。
【請求項１２】
前記液体形態の、前記蒸気圧縮サイクルの前記冷媒の少なくとも第２の部分を固体製造機に誘導することによって固体物質を形成するステップを更に含む、請求項８に記載の方法。
【請求項１３】
凝固点抑制剤に前記固体物質を組み合わせて、前記熱駆動ヒートポンプの冷媒の少なくとも一部を形成するステップと、
前記熱駆動ヒートポンプの前記冷媒の前記一部を前記第２の熱交換器に通して、前記蒸気圧縮サイクルの前記冷媒の温度を下げて前記周囲温度より低くするステップと、
を更に含む、請求項１２に記載の方法。
【請求項１４】
前記液体形態の、前記蒸気圧縮サイクルの前記冷媒を、第２の膨張弁に誘導するステップと、
前記第２の膨張弁を通り抜けた、前記蒸気圧縮サイクルの前記冷媒を第４の熱交換器に渡して、前記蒸気圧縮サイクルから第４の熱を除去するステップと、
を更に含む、請求項９に記載の方法。
【請求項１５】
前記蒸気圧縮サイクルからの前記第４の除去された熱を利用して、前記熱駆動ヒートポンプを駆動するステップを更に含む、請求項１４に記載の方法。
【請求項１６】
前記蒸気圧縮サイクルからの前記第４の除去された熱を利用して前記熱駆動ヒートポンプを駆動する前記ステップは、前記熱駆動ヒートポンプの冷媒から凝固点抑制剤を分離して、濃縮された凝固点抑制剤を形成するステップを含む、請求項１５に記載の方法。
【請求項１７】
前記蒸気圧縮サイクルの前記冷媒を前記第４の熱交換器から前記受容容器まで誘導するステップを更に含む、請求項１４に記載の方法。
【請求項１８】
前記液体形態の、前記蒸気圧縮サイクルの前記冷媒の少なくとも第３の部分を第５の熱交換器に誘導するステップであって、前記第５の熱交換器は、熱駆動ヒートポンプの前記冷媒に熱的に結合されていて、前記蒸気圧縮サイクルから第５の熱を除去することにより、前記液体形態の、前記蒸気圧縮サイクルの前記冷媒の前記第３の部分を更に冷却して、その温度を前記周囲温度より低くする、前記ステップを更に含む、請求項１７に記載の方法。
【請求項１９】
前記蒸気圧縮サイクルの前記冷媒を前記第４の熱交換器から前記圧縮器まで誘導するステップと、
前記蒸気圧縮サイクルの前記冷媒を前記第５の熱交換器から前記圧縮器まで誘導するステップと、
を更に含む、請求項１８に記載の方法。
【請求項２０】
蒸気圧縮サイクルに結合されて、前記蒸気圧縮サイクルから第１の熱を除去し、熱駆動ヒートポンプに結合されて、前記蒸気圧縮サイクルからの前記第１の除去された熱を利用して前記熱駆動ヒートポンプを駆動する第１の熱交換器
を含むシステム。
【請求項２１】
前記蒸気圧縮サイクルに結合されて、前記蒸気圧縮サイクルから第２の熱を除去し、前記熱駆動ヒートポンプに結合されている第２の熱交換器であって、前記蒸気圧縮サイクルから前記第２の熱を除去する前記ステップは、前記蒸気圧縮サイクルの冷媒の温度を下げて周囲温度より低くする、前記第２の熱交換器
を更に含む、請求項２０に記載のシステム。
【請求項２２】
前記第１の熱交換器は、前記蒸気圧縮サイクルの圧縮器と、前記蒸気圧縮サイクルの凝縮器との間に配置されている、請求項２１に記載のシステム。
【請求項２３】
前記第２の熱交換器は、前記蒸気圧縮サイクルの前記凝縮器と、前記蒸気圧縮サイクルの膨張弁との間に配置されている、請求項２２に記載のシステム。
【請求項２４】
前記熱駆動ヒートポンプは凝固点抑制サイクルを含む、請求項２１に記載のシステム。
【請求項２５】
前記蒸気圧縮サイクルからの前記第１の除去された熱は、前記熱駆動ヒートポンプの冷媒から凝固点抑制剤を分離して、濃縮された凝固点抑制剤を形成することにより、前記熱駆動ヒートポンプを駆動する、請求項２４に記載のシステム。
【請求項２６】
前記熱駆動ヒートポンプは固体製造機を含む、請求項２５に記載のシステム。
【請求項２７】
前記熱駆動ヒートポンプは、前記固体製造機からの固体に前記濃縮された凝固点抑制剤を組み合わせて、前記熱駆動ヒートポンプの前記冷媒の少なくとも一部を形成するように構成されており、
前記第２の熱交換器は、前記熱駆動ヒートポンプの前記冷媒の前記一部を受け取って、前記蒸気圧縮サイクルの前記冷媒の温度を下げて前記周囲温度より低くするように構成されている、
請求項２６に記載のシステム。
【請求項２８】
前記蒸気圧縮サイクルの前記冷媒が前記蒸気圧縮サイクルの前記膨張弁を通り抜けた後に、少なくとも、液体形態の、前記蒸気圧縮サイクルの前記冷媒、又は蒸気形態の、前記蒸気圧縮サイクルの前記冷媒を受け取るように配置された受容容器を更に含む、請求項２３に記載のシステム。
【請求項２９】
前記液体形態の、前記蒸気圧縮サイクルの前記冷媒の少なくとも第１の部分を受け取るように構成された第３の熱交換器を更に含み、前記第３の熱交換器は、前記熱駆動ヒートポンプの前記冷媒に熱的に結合されていて、前記蒸気圧縮サイクルから第３の熱を除去することにより、前記液体形態の、前記蒸気圧縮サイクルの前記冷媒の前記第１の部分を更に冷却して、その温度を前記周囲温度より低くする、請求項２８に記載のシステム。
【請求項３０】
前記第２の熱交換器及び前記第３の熱交換器は直列で利用される、請求項２９に記載のシステム。
【請求項３１】
前記第２の熱交換器及び前記第３の熱交換器は並列で利用される、請求項２９に記載のシステム。
【請求項３２】
前記液体形態の、前記蒸気圧縮サイクルの前記冷媒の少なくとも第２の部分が前記熱駆動ヒートポンプの固体製造機に誘導されるように、前記受容容器は前記熱駆動ヒートポンプに結合されている、請求項２８に記載のシステム。
【請求項３３】
前記第３の熱交換器を通り抜けた、前記蒸気圧縮サイクルの前記冷媒の一部を受け取って、前記蒸気圧縮サイクルから第４の熱を除去するように配置された第４の熱交換器を更に含む、請求項２９に記載のシステム。
【請求項３４】
前記第４の熱交換器と前記熱駆動ヒートポンプは、前記蒸気圧縮サイクルからの前記第４の除去された熱が前記熱駆動ヒートポンプを駆動するように、互いに結合されている、請求項３３に記載のシステム。
【請求項３５】
前記熱駆動ヒートポンプは、前記蒸気圧縮サイクルから前記第４の除去された熱を受け取って、前記熱駆動ヒートポンプの前記冷媒から凝固点抑制剤を分離して、濃縮された凝固点抑制剤を形成するように構成された分離器を含む、請求項３４に記載のシステム。
【請求項３６】
前記熱駆動ヒートポンプは、前記固体製造機からの固体に前記濃縮された凝固点抑制剤を組み合わせて、前記熱駆動ヒートポンプの冷媒の少なくとも一部を形成するように構成されており、
前記第２の熱交換器は、前記熱駆動ヒートポンプの前記冷媒の前記一部を受け取って、前記蒸気圧縮サイクルの前記冷媒の温度を下げて前記周囲温度より低くするように構成されている、
請求項３５に記載のシステム。
【請求項３７】
前記第４の熱交換器は、前記第４の熱交換器を通り抜けた、前記蒸気圧縮サイクルの前記冷媒の前記一部を受容容器が受け取るように、前記受容容器と結合されている、請求項３３に記載のシステム。
【請求項３８】
第５の熱交換器を更に含み、前記第５の熱交換器は、前記蒸気圧縮サイクルから第５の熱を除去する為に、前記熱駆動ヒートポンプの前記冷媒に熱的に結合されていて、前記液体形態の、前記蒸気圧縮サイクルの前記冷媒の少なくとも第３の部分を受け取る為に、前記受容容器と結合されていて、前記第３の部分は、前記蒸気圧縮サイクルから前記第５の熱を除去することによって更に冷却されて、その温度が前記周囲温度より低くされる、請求項３７に記載のシステム。
【請求項３９】
前記第４の熱交換器は、前記蒸気圧縮サイクルの前記冷媒を前記第４の熱交換器から前記圧縮器まで誘導するように前記圧縮器に結合されており、
前記第５の熱交換器は、前記蒸気圧縮サイクルの前記冷媒を前記第５の熱交換器から前記圧縮器まで誘導するように前記圧縮器に結合されている、
請求項３８に記載のシステム。
【発明の詳細な説明】
【技術分野】
【０００１】
サイクルエンハンスメントの方法、システム、及び装置に関するものである。
【背景技術】
【０００２】
冷却及び／又はヒートポンプには様々なツール及び技術が利用可能である。性能及び／又は効率を高めうる新たなツール及び技術が必要とされるであろう。
【発明の概要】
【発明が解決しようとする課題】
【０００３】
本発明は、上記従来の発明の課題を解決するためになされたものである。
【課題を解決するための手段】
【０００４】
様々な実施形態に従って、サイクルエンハンスメントの方法、システム、及び装置を提供する。様々な実施形態は、おおむね冷却及びヒートポンプに関係する。様々なヒートポンプアーキテクチャに対して様々な実施形態が適用可能である。幾つかの実施形態は、産業用途、商業用途、及び／又は住宅用途において蒸気圧縮ヒートポンプと統合されてよい。幾つかの実施形態は、例えば、直接膨張の、エコノマイズされた、且つ／又は２段階の蒸気圧縮ヒートポンプと統合されてよい。
【０００５】
幾つかの実施形態は、凝固点抑制サイクルと蒸気圧縮サイクルとを統合することを含んでよく、これにより、最小限の複雑さで全体効率及び供給能力における利点を達成することが可能である。幾つかの実施形態は、蒸気圧縮サイクルで生成された廃棄物を使用して、より小さい凝固点抑制サイクルに動力供給することが可能であり、その凝固点抑制サイクルは、蒸気圧縮サイクルをわずかに冷ますことによって性能を高めることが可能である。幾つかの実施形態は、吸収ヒートポンプを利用してよい。
【０００６】
幾つかの実施形態は、蒸気圧縮サイクルの冷媒から凝固点抑制サイクルの冷媒への熱の移動を含む。この熱移動は、両サイクルに熱交換器を配置して、それらを熱的に接続することによって達成可能である。
【０００７】
例えば、幾つかの実施形態は、蒸気圧縮サイクルから第１の熱を除去するステップ、蒸気圧縮サイクルからの第１の除去された熱を利用して、熱駆動ヒートポンプを駆動するステップ、及び／又は熱駆動ヒートポンプを利用して、蒸気圧縮サイクルから第２の熱を除去して、蒸気圧縮サイクルの冷媒の温度を下げて周囲温度より低くするステップを少なくとも含みうる方法を含む。
【０００８】
本方法の幾つかの実施形態では、蒸気圧縮サイクルからの第１の除去された熱を利用して熱駆動ヒートポンプを駆動するステップは、熱駆動ヒートポンプの冷媒から凝固点抑制剤を分離して、濃縮された凝固点抑制剤を形成するステップを含む。熱駆動ヒートポンプを利用して蒸気圧縮サイクルから第２の熱を除去して、蒸気圧縮サイクルの冷媒の温度を下げて周囲温度より低くするステップは、濃縮された凝固点抑制剤に固体物質を組み合わせて、熱駆動ヒートポンプの冷媒の少なくとも一部を形成するステップ、及び／又は、熱駆動ヒートポンプの冷媒のその一部を利用して、蒸気圧縮サイクルの冷媒の温度を下げて周囲温度より低くするステップを含んでよい。幾つかの実施形態では、本方法によって、蒸気圧縮サイクルを改善することが可能である。
【０００９】
本方法の幾つかの実施形態では、蒸気圧縮サイクルから第１の熱を除去するステップは、蒸気圧縮サイクルの冷媒を、熱駆動ヒートポンプに熱的に結合された第１の熱交換器に通すステップを含む。第１の熱交換器は、蒸気圧縮サイクルの圧縮器と、蒸気圧縮サイクルの凝縮器との間に配置されてよい。
【００１０】
本方法の幾つかの実施形態では、熱駆動ヒートポンプを利用して蒸気圧縮サイクルから第２の熱を除去して、蒸気圧縮サイクルの冷媒の温度を下げて周囲温度より低くするステップは、蒸気圧縮サイクルの冷媒を、蒸気圧縮サイクルの凝縮器と、蒸気圧縮サイクルの膨張弁との間に配置された第２の熱交換器に通すステップを含む。幾つかの実施形態では、熱駆動ヒートポンプを利用して蒸気圧縮サイクルから第２の熱を除去して、蒸気圧縮サイクルの冷媒の温度を下げて周囲温度より低くするステップは、熱駆動ヒートポンプの冷媒を第２の熱交換器に通すステップを含む。
【００１１】
本方法の幾つかの実施形態は、蒸気圧縮サイクルの冷媒が蒸気圧縮サイクルの膨張弁を通り抜けた後に、受容容器を利用して、少なくとも、液体形態の、蒸気圧縮サイクルの冷媒、又は蒸気形態の、蒸気圧縮サイクルの冷媒を受け取るステップを含む。幾つかの実施形態は、蒸気形態の冷媒を蒸気圧縮サイクルの圧縮器に誘導するステップ、及び／又は、液体形態の、蒸気圧縮サイクルの冷媒の少なくとも第１の部分を第３の熱交換器に誘導するステップを含み、第３の熱交換器は、熱駆動ヒートポンプの冷媒に熱的に結合されてよく、蒸気圧縮サイクルから第３の熱を除去することにより、液体形態の、蒸気圧縮サイクルの冷媒の第１の部分を更に冷却して、その温度を周囲温度より低くすることが可能である。幾つかの実施形態は、第２の熱交換器及び第３の熱交換器を直列で利用することを含む。幾つかの実施形態は、第２の熱交換器及び第３の熱交換器を並列で利用することを含む。
【００１２】
本方法の幾つかの実施形態は、液体形態の、蒸気圧縮サイクルの冷媒の少なくとも第２の部分を固体製造機に誘導することによって固体物質を形成するステップを含む。固体物質としては、例えば、凍結物質があってよい。幾つかの実施形態は、凝固点抑制剤に固体物質を組み合わせて、熱駆動ヒートポンプの冷媒の少なくとも一部を形成するステップ、及び／又は、熱駆動ヒートポンプの冷媒のその一部を第２の熱交換器に通して、蒸気圧縮サイクルの冷媒の温度を下げて周囲温度より低くするステップを含む。
【００１３】
本方法の幾つかの実施形態は、液体形態の、蒸気圧縮サイクルの冷媒を、第２の膨張弁に誘導するステップ、及び／又は、第２の膨張弁を通り抜けた、蒸気圧縮サイクルの冷媒を第４の熱交換器に渡して、蒸気圧縮サイクルから第４の熱を除去するステップを含む。幾つかの実施形態は、蒸気圧縮サイクルからの第４の除去された熱を利用して、熱駆動ヒートポンプを駆動するステップを含む。幾つかの実施形態では、蒸気圧縮サイクルからの第４の除去された熱を利用して熱駆動ヒートポンプを駆動するステップは、熱駆動ヒートポンプの冷媒から凝固点抑制剤を分離して、濃縮された凝固点抑制剤を形成するステップを含む。
【００１４】
本方法の幾つかの実施形態は、蒸気圧縮サイクルの冷媒を第４の熱交換器から受容容器まで誘導するステップを含む。幾つかの実施形態は、液体形態の、蒸気圧縮サイクルの冷媒の少なくとも第３の部分を第５の熱交換器に誘導するステップを含み、第５の熱交換器は、熱駆動ヒートポンプの冷媒に熱的に結合されてよく、蒸気圧縮サイクルから第５の熱を除去することにより、液体形態の、蒸気圧縮サイクルの冷媒の第３の部分を更に冷却して、その温度を周囲温度より低くすることが可能である。幾つかの実施形態は、蒸気圧縮サイクルの冷媒を第４の熱交換器から圧縮器まで誘導するステップ、及び／又は、蒸気圧縮サイクルの冷媒を第５の熱交換器から圧縮器まで誘導するステップを含む。
【００１５】
幾つかの実施形態は、蒸気圧縮サイクルに結合されて、蒸気圧縮サイクルから第１の熱を除去し、熱駆動ヒートポンプに結合されて、蒸気圧縮サイクルからの第１の除去された熱を利用して熱駆動ヒートポンプを駆動する第１の熱交換器を含んでよいシステムを含む。本システムの幾つかの実施形態は、蒸気圧縮サイクルに結合されて、蒸気圧縮サイクルから第２の熱を除去し、熱駆動ヒートポンプに結合されている第２の熱交換器であって、蒸気圧縮サイクルから第２の熱を除去するステップによって、蒸気圧縮サイクルの冷媒の温度を下げて周囲温度より低くすることが可能である、第２の熱交換器を含む。
【００１６】
本システムの幾つかの実施形態では、第１の熱交換器は、蒸気圧縮サイクルの圧縮器と、蒸気圧縮サイクルの凝縮器との間に配置されている。本システムの幾つかの実施形態では、第２の熱交換器は、蒸気圧縮サイクルの凝縮器と、蒸気圧縮サイクルの膨張弁との間に配置されている。
【００１７】
本システムの幾つかの実施形態では、熱駆動ヒートポンプは凝固点抑制サイクルを含む。幾つかの実施形態では、蒸気圧縮サイクルからの第１の除去された熱は、熱駆動ヒートポンプの冷媒から凝固点抑制剤を分離して、濃縮された凝固点抑制剤を形成することにより、熱駆動ヒートポンプを駆動する。幾つかの実施形態では、熱駆動ヒートポンプは固体製造機を含む。幾つかの実施形態では、熱駆動ヒートポンプは、固体製造機からの固体に濃縮された凝固点抑制剤を組み合わせて、熱駆動ヒートポンプの冷媒の少なくとも一部を形成するように構成されており、第２の熱交換器は、熱駆動ヒートポンプの冷媒のその一部を受け取って、蒸気圧縮サイクルの冷媒の温度を下げて周囲温度より低くするように構成されてよい。
【００１８】
本システムの幾つかの実施形態は、蒸気圧縮サイクルの冷媒が蒸気圧縮サイクルの膨張弁を通り抜けた後に、少なくとも、液体形態の、蒸気圧縮サイクルの冷媒、又は蒸気形態の、蒸気圧縮サイクルの冷媒を受け取るように配置された受容容器を含む。幾つかの実施形態は、液体形態の、蒸気圧縮サイクルの冷媒の少なくとも第１の部分を受け取るように構成された第３の熱交換器を含み、第３の熱交換器は、熱駆動ヒートポンプの冷媒に熱的に結合されてよく、蒸気圧縮サイクルから第３の熱を除去することにより、液体形態の、蒸気圧縮サイクルの冷媒の第１の部分を更に冷却して、その温度を周囲温度より低くすることが可能である。幾つかの実施形態では、第２の熱交換器及び第３の熱交換器は直列で利用される。幾つかの実施形態では、第２の熱交換器及び第３の熱交換器は並列で利用される。
【００１９】
本システムの幾つかの実施形態では、液体形態の、蒸気圧縮サイクルの冷媒の少なくとも第２の部分が熱駆動ヒートポンプの固体製造機に誘導されるように、受容容器は熱駆動ヒートポンプに結合されている。
【００２０】
本システムの幾つかの実施形態は、第３の熱交換器を通り抜けた、蒸気圧縮サイクルの冷媒の一部を受け取って、蒸気圧縮サイクルから第４の熱を除去するように配置された第４の熱交換器を含む。幾つかの実施形態では、第４の熱交換器と熱駆動ヒートポンプは、蒸気圧縮サイクルからの第４の除去された熱が熱駆動ヒートポンプを駆動するように、互いに結合されている。幾つかの実施形態では、熱駆動ヒートポンプは、蒸気圧縮サイクルから第４の除去された熱を受け取って、熱駆動ヒートポンプの冷媒から凝固点抑制剤を分離して、濃縮された凝固点抑制剤を形成するように構成された分離器を含む。幾つかの実施形態では、熱駆動ヒートポンプは、固体製造機からの固体に濃縮された凝固点抑制剤を組み合わせて、熱駆動ヒートポンプの冷媒の少なくとも一部を形成するように構成されており、第２の熱交換器は、熱駆動ヒートポンプの冷媒のその一部を受け取って、蒸気圧縮サイクルの冷媒の温度を下げて周囲温度より低くするように構成されてよい。
【００２１】
本システムの幾つかの実施形態では、第４の熱交換器は、第４の熱交換器を通り抜けた、蒸気圧縮サイクルの冷媒のその一部を受容容器が受け取るように、受容容器と結合されている。幾つかの実施形態は第５の熱交換器を含み、第５の熱交換器は、蒸気圧縮サイクルから第５の熱を除去する為に、熱駆動ヒートポンプの冷媒に熱的に結合されており、液体形態の、蒸気圧縮サイクルの冷媒の少なくとも第３の部分を受け取る為に、受容容器と結合されてよく、第３の部分は、蒸気圧縮サイクルから第５の熱を除去することによって更に冷却されて、その温度が周囲温度より低くされる。
【００２２】
本システムの幾つかの実施形態では、第４の熱交換器は、蒸気圧縮サイクルの冷媒を第４の熱交換器から圧縮器まで誘導するように圧縮器に結合されている。幾つかの実施形態では、第５の熱交換器は、蒸気圧縮サイクルの冷媒を第５の熱交換器から圧縮器まで誘導するように圧縮器に結合されている。
【００２３】
幾つかの実施形態は、本明細書に記載され、且つ／又は図面に示された方法、システム、及び／又は装置を含む。
【００２４】
上述の内容は、以下の詳細説明のよりよい理解が可能となるように、本開示による実施形態の特徴及び技術的利点をどちらかと言えば大まかに概説したものである。以下では、更なる特徴及び利点についても説明する。開示された概念及び特定実施形態は、本開示と同じ目的を達成する為に構造を修正したり別の構造を設計したりすることのベースとして容易に利用可能である。そのような等価な構造は、添付の特許請求項の趣旨及び範囲から逸脱するものではない。本明細書に開示の概念に特有であると考えられる特徴は、それらの構成に関しても、動作方法に関しても、関連付けられる利点とともに、以下の説明を添付図面との関連で考察することにより、よりよく理解されるであろう。各図面は、特許請求の範囲の明確な限定としてではなく、例示及び説明のみを目的として示されている。
【００２５】
以下の図面を参照することで、様々な実施形態の特性及び利点を更に理解することが可能であろう。添付図面では、類似の構成要素又は機能は同じ参照ラベルを有してよい。更に、同じタイプの様々な構成要素の区別が、その参照ラベルの後にダッシュと、同様の構成要素の中での区別を行う第２のラベルとを付加することによって可能である。明細書において第１の参照ラベルだけが使用されている場合、その記述は、第２の参照ラベルに関係なく、同じ第１の参照ラベルを有する同様の構成要素のいずれにも当てはまる。
【図面の簡単な説明】
【００２６】
【図１】様々な実施形態によるシステムを示す図である。
【図２Ａ】様々な実施形態によるシステムを示す図である。
【図２Ｂ】様々な実施形態によるシステムを示す図である。
【図３Ａ】様々な実施形態によるシステムを示す図である。
【図３Ｂ】様々な実施形態によるシステムを示す図である。
【図４】様々な実施形態によるシステムを示す図である。
【図５】様々な実施形態によるシステムを示す図である。
【図６Ａ】様々な実施形態による方法のフロー図を示す図である。
【図６Ｂ】様々な実施形態による方法のフロー図を示す図である。
【発明を実施するための形態】
【００２７】
以下の説明は実施形態を提示するものであって、本開示の範囲、利用可能性、又は構成を限定するものではない。むしろ、この後の記述は、本開示の実施形態を実施することを可能にする説明を当業者に提供する。各要素の機能及び配置については、様々な変更が行われてよい。
【００２８】
従って、様々な実施形態において、様々な手順又は構成要素の省略、置換、又は追加が必要に応じて行われてよい。例えば、当然のことながら、方法の実施は記載の順序と異なる順序で行われてよく、様々な段階が追加、省略、又は結合されてよい。又、特定の実施形態に関して記載された態様及び要素が、他の様々な実施形態において組み合わされてよい。更に、当然のことながら、以下のシステム、装置、及び方法は、個別に、又は一括で、より大きなシステムの構成要素であってよく、その場合、これらの適用に対して他の手順が優先されることがあり、或いは、他の形でこれらの適用に修正が加えられることがある。
【００２９】
様々な実施形態に従って、サイクルエンハンスメントの方法、システム、及び装置を提供する。様々な実施形態は、おおむね冷却及びヒートポンプに関係する。様々なヒートポンプアーキテクチャに対して様々な実施形態が適用可能である。幾つかの実施形態は、産業用途、商業用途、及び／又は住宅用途において蒸気圧縮ヒートポンプと統合されてよい。幾つかの実施形態は、例えば、直接膨張の、エコノマイズされた、且つ／又は２段階の蒸気圧縮ヒートポンプと統合されてよい。
【００３０】
幾つかの実施形態は、凝固点抑制サイクルと蒸気圧縮サイクルとを統合することを含み、これにより、最小限の複雑さで全体効率及び供給能力における利点を達成することが可能である。幾つかの実施形態は、蒸気圧縮サイクルで生成された廃棄物を使用して、より小さい凝固点抑制サイクルに動力供給することが可能であり、その凝固点抑制サイクルは、蒸気圧縮サイクルをわずかに冷ますことによって性能を高めることが可能である。
【００３１】
幾つかの実施形態は、蒸気圧縮サイクルの冷媒から凝固点抑制サイクルの冷媒への熱の移動を含む。この熱移動は、両サイクルに熱交換器を配置して、それらを熱的に接続することによって達成可能である。
【００３２】
幾つかの実施形態では、このような熱的接続が行われると、熱は、蒸気圧縮サイクルの圧縮器から出た、過熱した冷媒から取り出されてよく、凝固点抑制サイクルの分離に動力供給する為に使用されてよい。そして、凝固点抑制サイクルで生成された低温冷媒が、蒸気圧縮サイクルで使用されて、その凝縮された冷媒を、膨張弁に入ることが可能になるように冷却してよい。
【００３３】
幾つかの実施形態では、圧縮器で生成された、蒸気圧縮の廃熱が取り込まれてよく、凝固点抑制サイクルで使用されてよく、その後、有用な冷却として蒸気圧縮サイクルに戻されてよい。このような行き来により、蒸気圧縮サイクルの圧縮器の仕事量を減らすことが可能であり、効率を高めることが可能になりうる。
【００３４】
ここで示される以下の実施形態において示される流体管路及び熱交換器は全て、他のあらゆるプロセス機器から独立していると考えられてよい。当業者であれば周知のように、これは、常にそのようであるとは限らない場合があり、ここでは明確さの為に示されているに過ぎない。例えば、幾つかの実施形態に示されている、廃熱を取り込む為に使用される熱交換器は、図示されるように別個の熱交換器であってよく、或いは、コラムに組み込まれて、過熱した冷媒を直接フィードされてよい。明確さの為に、幾つかの実施形態では、組み込まれていないタイプが示されている場合がある。
【００３５】
ここで図１を参照すると、様々な実施形態によるシステム１００が示されている。蒸気圧縮サイクル１１７が蒸気圧縮サイクル１１７の循環冷媒１１８を有してよく、循環冷媒１１８は、高圧側１２５及び低圧側１２６から動いていてよい。蒸気圧縮サイクル１１７の冷媒１１８が境界１１９を低圧１２６から高圧１２５へとクロスしてよい場合、冷媒１１８は熱エネルギ１１５を必要としてよく、熱エネルギ１１５は熱駆動ヒートポンプ１１４に移されてよい。熱１１５は、熱駆動ヒートポンプ１１４に吸収されてよい。熱１１５は、熱駆動ヒートポンプ１１４を駆動することが可能である。熱駆動ヒートポンプ１１４によって生成される冷却１１６は、蒸気圧縮サイクル１１７に戻されてよく、これは、蒸気圧縮サイクル１１７から熱１１６を除去することとも称されてよい。
【００３６】
システム１００は、蒸気圧縮サイクル１１７から熱１１５を除去することを含むように構成されてよく、熱１１５は第１の除去された熱と称されてよい。蒸気圧縮サイクル１１７からの熱１１５は、熱駆動ヒートポンプ１１４を駆動することが可能である。幾つかの実施形態では、冷却１１６は、熱駆動ヒートポンプ１１４を利用して蒸気圧縮サイクル１１７から熱を除去することが可能であり（この熱は第２の除去された熱と称されてよい）、これにより、蒸気圧縮サイクル１１７の冷媒１１８の温度を下げて周囲温度より低くすることが可能である。
【００３７】
幾つかの実施形態では、熱駆動ヒートポンプ１１４は凝固点抑制サイクルを含む。熱１１５は、凝固点抑制サイクルの高濃度側１２４に吸収されてよく、凝固点抑制サイクルは循環冷媒１２０を有してよく、循環冷媒１２０は、境界１２１を有する、低濃度側１２３と高濃度側１２４との間を動いてよい。凝固点抑制サイクルの高濃度側１２４における凝固点抑制によって生成された冷却１１６は、蒸気圧縮サイクル１１７に戻されてよい。システム１００の幾つかの実施形態では、蒸気圧縮サイクル１１７からの第１の除去された熱１１５を利用して熱駆動ヒートポンプ１１４を駆動することは、熱駆動ヒートポンプ１１４の冷媒１２０から凝固点抑制剤を分離して、濃縮された凝固点抑制剤を形成することを含む。熱駆動ヒートポンプ１１４を利用して蒸気圧縮サイクル１１７から第２の熱１１６を除去して、蒸気圧縮サイクル１１７の冷媒１１８の温度を下げて周囲温度より低くすることは、濃縮された凝固点抑制剤と固体物質とを組み合わせて、熱駆動ヒートポンプ１１４の冷媒１２０の少なくとも一部を形成すること、及び／又は、熱駆動ヒートポンプ１１４の冷媒１２０のその一部を利用して、蒸気圧縮サイクル１１７の冷媒１１８の温度を下げて周囲温度より低くすることを含んでよい。幾つかの実施形態では、本方法によって、蒸気圧縮サイクルを改善することが可能である。幾つかの実施形態では、固体物質として氷があってよい。
【００３８】
幾つかの実施形態は、凝固点抑制サイクルとして構成された熱駆動ヒートポンプ１１４を含んでよいが、幾つかの実施形態では、他の熱駆動ヒートポンプを利用してよい。例えば、幾つかの実施形態は、熱駆動ヒートポンプ１１４として吸収ヒートポンプを含んでよいが、これに限定されない。
【００３９】
熱駆動ヒートポンプ１１４として凝固点抑制サイクルを利用してよい幾つかの実施形態では、凝固点抑制剤として、水、アルコール、イオン液体、アミン、アンモニア、塩、非塩可溶固体、有機液体、無機液体、トリエチルアミン、シクロヘクソプリジン（ｃｙｃｌｏｈｅｘｏｐｕｒｉｄｉｎｅ）、混和性物質の混合物、及び／又は界面活性剤で安定化された、不混和性物質の混合物があってよく、これらに限定されない。固体として、全て又は一部が固体である形態の水、有機物質、イオン液体、無機物質、及び／又はＤＭＳＯがあってよく、これらに限定されない。他の熱駆動ヒートポンプは、水、アンモニア、塩、及び／又はアルコールを含んでこれらに限定されない混合物を含む冷媒を利用してよい。
【００４０】
次に図２Ａを参照すると、様々な実施形態によるシステム２００が示されており、これは、熱駆動ヒートポンプ１１４−ａの一例としての凝固点抑制サイクルと、直接膨張蒸気圧縮サイクル１１７−ａとの間の統合を示しうる。システム２００は、図１のシステム１００の一例であってよい。圧縮器１０３から出た、蒸気圧縮サイクル１１７−ａの冷媒１１８−ａが熱交換器１０１に送り込まれてよく、そこでは、冷媒１１８−ａは、緩熱されてよく、熱１１５−ａを熱駆動ヒートポンプ１１４−ａに与えてよい。冷媒１１８−ａは、熱交換器１０１から出た後は冷却されていてよいが、依然としてその凝結温度及び周囲温度より高いままであってよい。あくまで例として、この温度は約４０℃であってよい。幾つかの実施形態では、熱交換器１０１は第１の熱交換器と称されてよく、熱１１５−ａは、幾つかの実施形態では、第１の除去された熱と称されてよい。熱１１５−ａは、熱駆動ヒートポンプ１１４−ａを駆動することが可能である。例えば、熱交換器１０１からの熱１１５−ａは、凝固点抑制サイクルとして、熱駆動ヒートポンプ１１４−ａの凝固点抑制冷媒１０９を温めてよく、分離器１２３に動力供給してよく、分離器１２３は、凝固点抑制冷媒１０９から凝固点抑制剤を分離して、濃縮された凝固点抑制剤を形成してよい。分離器１２３の例として、蒸留コラム、蒸留膜、多重効用蒸留器、ボイラ、及び／又は機械式分離器があってよく、これらに限定されない。そして、蒸気圧縮サイクル１１７−ａ内の冷媒１１８−ａは、凝縮器１０２に流入してよく、そこで凝縮されてよい。熱交換器１０２から出た冷媒１１８−ａの温度は、その凝結温度であってよく、或いはそれより少し低くてよいが、依然として周囲温度より少し高くてよい。あくまで例として、この温度は約３０℃であってよい。凝縮された冷媒１１８−ａは別の熱交換器１０４に流入してよく、熱交換器１０４は液体副冷却器と称されてよく、そこでは、冷媒１１８−ａは、熱駆動ヒートポンプ１１４−ａからの冷たい冷媒１０８によって、熱１１６−ａを除去されて冷却されてよく、熱１１６−ａは第２の除去された熱と称されてよい。熱交換器１０４から出た冷媒１１８−ａの温度は、この時点で周囲温度より低くなっていてよい。あくまで例として、この温度は約−２０℃であってよい。例えば、冷たい冷媒１０８は、凝固点抑制サイクルの一部としての固体物質タンク１２２（例えば、氷タンク）から来てよい。凝固点抑制サイクルを利用してよい実施形態に関しては、固体（例えば、氷）と、分離器１２３によって生成された、濃縮された凝固点抑制剤とを組み合わせて、この冷たい冷媒１０８を生成してよい。熱交換器１０４から来てよい、蒸気圧縮サイクル１１７−ａの冷媒１１８−ａは、膨張弁１０５に流れてよく、熱交換器１０４を使用しない場合に通常発生するであろう液体冷媒より多くの液体冷媒を含む状態まで膨張することが可能であり、これによって、液体副冷却が行われることが可能である。幾つかの実施形態では、熱交換器１０４は、第２の熱交換器と称されてよい。熱１１６−ａを除去することにより、蒸気圧縮サイクル１１７−ａの冷媒１１８−ａの温度を下げて周囲温度より低くすることが可能である。そして、蒸気圧縮サイクル１１７−ａの冷媒１１８−ａは蒸発器１０６に入ってよく、そこで煮沸されてよく、これによって、冷却が行われることが可能である。そして、蒸気圧縮サイクル１１７−ａの冷媒１１８−ａは、圧縮器１０３に戻ってよく、これによって、全サイクルが完結してよい。
【００４１】
図２Ｂは、様々な実施形態によるシステム２００−ａを示しており、これは、熱駆動ヒートポンプ１１４−ｉと、直接膨張蒸気圧縮サイクル１１７−ｉとの間の統合を示しうる。幾つかの実施形態では、熱駆動ヒートポンプ１１４−ｉとして吸収ヒートポンプがあってよい。システム２００−ａは、図１のシステム１００の一例であってよく、図２Ａのシステム２００の諸態様を含んでよい。圧縮器１０３−ｉから出た、蒸気圧縮サイクル１１７−ｉの冷媒１１８−ｉが熱交換器１０１−ｉに送り込まれてよく、そこでは、冷媒１１８−ｉは、緩熱されてよく、熱１１５−ｉを熱駆動ヒートポンプ１１４−ｉに与えてよい。幾つかの実施形態では、熱交換器１０１−ｉは第１の熱交換器と称されてよく、熱１１５−ｉは、幾つかの実施形態では、第１の除去された熱と称されてよい。熱１１５−ｉは、熱駆動ヒートポンプ１１４−ｉを駆動することが可能である。例えば、熱交換器１０１−ｉからの熱１１５−ｉは、熱駆動ヒートポンプ１１４−ｉの冷媒１０９−ｉを温めてよい。その後、蒸気圧縮サイクル１１７−ｉ内の冷媒１１８−ｉは、凝縮器１０２−ｉに流入してよく、そこで凝縮されてよい。凝縮された冷媒１１８−ｉは別の熱交換器１０４−ｉに流入してよく、熱交換器１０４−ｉは液体副冷却器と称されてよく、そこでは、冷媒１１８−ｉは、熱駆動ヒートポンプ１１４−ｉからの冷たい冷媒１０８−ｉによって、熱１１６−ｉを除去されて冷却されてよく、熱１１６−ｉは第２の除去された熱と称されてよい。熱１１６−ｉを除去することにより、蒸気圧縮サイクル１１７−ｉの冷媒１１８−ｉの温度を下げて周囲温度より低くすることが可能である。熱交換器１０４−ｉから来てよい、蒸気圧縮サイクル１１７−ｉの冷媒１１８−ｉは、膨張弁１０５−ｉに流れてよく、熱交換器１０４−ｉを使用しない場合に通常発生するであろう液体冷媒より多くの液体冷媒を含む状態まで膨張することが可能であり、これによって、液体副冷却が行われることが可能である。幾つかの実施形態では、熱交換器１０４−ｉは、第２の熱交換器と称されてよい。そして、蒸気圧縮サイクル１１７−ｉの冷媒１１８−ｉは蒸発器１０６−ｉに入ってよく、そこで煮沸されてよく、これによって、冷却が行われることが可能である。そして、蒸気圧縮サイクル１１７−ｉの冷媒１１８−ｉは、圧縮器１０３−ｉに戻ってよく、これによって、全サイクルが完結してよい。
【００４２】
次に図３Ａを参照すると、様々な実施形態によるシステム３００が示されており、これは、（例えば、凝固点抑制サイクルとしての）熱駆動ヒートポンプ１１４−ｂと、単一段階の、エコノマイズされた蒸気圧縮サイクル１１７−ｂとの間の統合を示しうる。システム３００は図１のシステム１００の一例であってよく、システム３００は、図２Ａのシステム２００、及び／又は図２Ｂのシステム２００−ａの諸態様を含んでよい。圧縮器１０３−ａから出た、蒸気圧縮サイクル１１７−ｂの冷媒１１８−ｂが熱交換器１０１−ａに送り込まれてよく、熱交換器１０１−ａは、幾つかの実施形態では、第１の熱交換器と称されてよく、そこでは、蒸気圧縮サイクル１１７−ｂの冷媒１１８−ｂは、緩熱されてよく、熱駆動ヒートポンプ１１４−ａの冷媒１０９−ａを温めてよい。熱１１５−ｂが蒸気圧縮サイクル１１７−ｂから除去されてよく、熱１１５−ｂは第１の除去された熱と称されてよい。熱１１５−ｂは、熱駆動ヒートポンプ１１４−ｂを駆動することが可能である。幾つかの実施形態では、熱駆動ヒートポンプ１１４−ｂの冷媒１０９−ｂは、凝固点抑制サイクルの凝固点抑制冷媒を含んでよく、分離器１２３−ａに動力供給してよい。そして蒸気圧縮サイクル１１７−ｂの冷媒１１８−ｂは、凝縮器１０２−ａに流入してよく、そこで凝縮されてよい。凝縮された冷媒１１８−ｂは、熱交換器１０４−ａに流入してよく、熱交換器１０４−ａは、幾つかの実施形態では、液体副冷却器と称されてよく、そこでは、冷媒１１８−ｂは、熱駆動ヒートポンプ１１４−ｂからの冷たい冷媒１０８−ａによって冷却されてよい。熱１１６−ｂが蒸気圧縮サイクル１１７−ｂから除去されてよく、熱１１６−ｂは第２の除去された熱と称されてよい。熱交換器１０４−ａは、第２の熱交換器と称されてよい。熱１１６−ｂを除去することにより、蒸気圧縮サイクル１１７−ｂの冷媒１１８−ｂの温度を下げて周囲温度より低くすることが可能である。幾つかの実施形態では、熱駆動ヒートポンプ１１４−ｂの冷媒１０８−ａは、凝固点抑制冷媒を含んでよく、この凝固点抑制冷媒は、固体物質タンク１２２−ａ（例えば、氷タンク）において形成されてよい。幾つかの実施形態は、氷（又は一般的に固体物質）と、分離器１２３−ａによって生成された、濃縮された凝固点抑制剤とを組み合わせるか混合することを含んでよく、これによって、この冷たい冷媒１０８−ａを生成することが可能である。熱交換器１０４−ａから来た、蒸気圧縮サイクル１１７−ｂの冷媒１１８−ｂは、膨張弁１０５−ａに流れてよく、液体副冷却を使用しない場合に通常発生するであろう液体冷媒より多くの液体冷媒を含む状態まで膨張することが可能である。そして、蒸気圧縮サイクル１１７−ｂの冷媒１１８−ｂは、受容容器１１１に入ってよく、受容容器１１１は、幾つかの実施形態では、フラッシュ中間冷却器と称されてよく、そこでは、冷媒１１８−ｂは液体と蒸気とに分離されてよい。蒸気は圧縮器１０３−ａに送り返されてよく、液体は熱交換器１０９に送られてよく、熱交換器１０９は、幾つかの実施形態では、第２の液体副冷却器及び／又は第３の熱交換器と称されてよく、そこでは、液体は、熱駆動ヒートポンプ１１４−ｂからの冷たい冷媒１０８−ａ（例えば、タンク１２２−ａからの冷媒）により再度冷却されてよく、熱１１６−ｂ−１が蒸気圧縮サイクル１１７−ｂから除去されてよく、熱１１６−ｂ−１は第３の除去された熱と称されてよい。熱１１６−ｂ−１を除去することにより、蒸気圧縮サイクル１１７−ｂの冷媒１１８−ｂの温度を更に下げて周囲温度より低くすることが可能である。冷媒管路内の１つ以上の弁１１２が、蒸気圧縮サイクル１１７−ｂの諸態様に応じて、熱交換器１０４−ａ及び熱交換器１０９が順次動作又は並列動作をすることを可能にしうる。そして、第２の膨張弁１１０に入る液体が、熱交換器１０９がない場合にありうる液体より多くの液体を含む状態まで膨張することが可能である。そして、蒸気圧縮サイクル１１７−ｂの冷媒１１８−ｂは蒸発器１０６−ａに流れてよく、そこで煮沸されてよく、これによって、冷却が行われることが可能である。次に、蒸気圧縮サイクル１１７−ｂの冷媒１１８−ｂは、圧縮器１０３−ａに戻ってよく、これによって、全サイクルが完結してよい。システム３００は、凝固点抑制サイクルを熱駆動ヒートポンプ１１４−ｂとして使用することを示してよいが、吸収ヒートポンプをはじめとして、これに限定されない、他の熱駆動ヒートポンプも利用されてよい。
【００４３】
図３Ｂは、様々な実施形態によるシステム３００−ａを示す。システム３００−ａは、システム１００、及び／又は図３Ａのシステム１００の一例であってよく、システム３００−ａは、図２Ａのシステム２００、及び／又は図２Ｂのシステム２００−ａの諸態様を含んでよい。システム３００−ａは、全般的には、凝固点抑制サイクルとして示された熱駆動ヒートポンプ１１４−ｃと、単一段階の、エコノマイズされた蒸気圧縮サイクル１１７−ｃとの間の統合を示す。圧縮器１０３−ｂから出た、蒸気圧縮サイクル１１７−ｃの冷媒１１８−ｃが熱交換器１０１−ｂに送り込まれてよく、そこでは、冷媒１１８−ｃは、緩熱されてよく、熱駆動ヒートポンプ１１４−ｃの冷媒１０９−ｂを温めてよい。熱１１５−ｃが蒸気圧縮サイクル１１７−ｃから除去されてよく、熱１１５−ｃは第１の除去された熱と称されてよい。熱１１５−ｃは、熱駆動ヒートポンプ１１４−ｃを駆動することが可能である。幾つかの実施形態では、熱駆動ヒートポンプ１１４−ｃは、冷媒１０９−ｂが分離器１２３−ｂに動力供給することが可能であるように構成された凝固点抑制サイクルを含んでよい。そして、蒸気圧縮サイクル１１７−ｃの冷媒１１８−ｃは、凝縮器１０２−ｂに流入してよく、そこで凝縮されてよい。凝縮された、蒸気圧縮サイクル１１７−ｃの冷媒１１８−ｃは、熱交換器１０４−ｂに流入してよく、熱交換器１０４−ｂは、液体副冷却器及び／又は第２の熱交換器と称されてよく、そこでは、蒸気圧縮サイクル１１７−ｃの冷媒１１８−ｃは、熱駆動ヒートポンプ１１４−ｃからの冷たい冷媒１０８−ｂによって冷却されてよく、これは、蒸気圧縮サイクル１１７−ｃから熱１１６−ｃを除去することを含んでよく、熱１１６−ｃは第２の除去された熱と称されてよい。熱１１６−ｃを除去することにより、蒸気圧縮サイクル１１７−ｃの冷媒１１８−ｃの温度を下げて周囲温度より低くすることが可能である。例えば、熱駆動ヒートポンプ１１４０ｃの冷媒１０８−ｂは、タンク１２２−ｂから来てよく、タンク１２２−ｂは、例えば、氷タンクであってよい。幾つかの実施形態は、固体（例えば、氷）と、分離器１２３−ｂによって生成された、濃縮された凝固点抑制剤とを混合して、冷たい冷媒１０８−ｂを生成することを含む。熱交換器１０４−ｂから来た、蒸気圧縮サイクル１１７−ｃの冷媒１１８−ｃは、膨張弁１０５−ｂに流れてよく、液体副冷却を使用しない場合に通常発生するであろう液体冷媒より多くの液体冷媒を含む状態まで膨張することが可能である。そして、蒸気圧縮サイクル１１７−ｃの冷媒１１８−ｃは、受容容器１１１−ａに入ってよく、受容容器１１１−ａは、フラッシュ中間冷却器と称されてよく、そこでは、冷媒１１８−ｃは液体と蒸気とに分離されてよい。この受容容器１１１−ａからの幾らかの液体が、凝固点抑制サイクルで使用される固体（例えば、氷）を生成する為に固体製造機１３０で使用されてよく、幾つかの実施形態では、固体製造機１３０は、例えば、製氷機であってよい。蒸気は圧縮器１０３−ｂに送り返されてよく、液体は熱交換器１０９−ａに送られてよく、熱交換器１０９−ａは、第２の液体副冷却器及び／又は第３の熱交換器と称されてよく、そこでは、液体は、熱駆動ヒートポンプ１１４−ｃからの冷たい冷媒（例えば、氷タンク１２２−ｂからの冷媒）により再度冷却されてよい。熱１１６−ｃ−１が蒸気圧縮サイクル１１７−ｃから除去されてよく、熱１１６−ｃ−１は第３の除去された熱と称されてよい。熱１１６−ｃ−１を除去することにより、蒸気圧縮サイクル１１７−ｃの冷媒１１８−ｃの温度を更に下げて周囲温度より更に低くすることが可能である。冷媒管路内の１つ以上の弁１１２−ａが、蒸気圧縮サイクル１１７−ｃの諸態様に応じて、熱交換器１０４−ｂ及び１０９−ａが順次動作又は並列動作をすることを可能にしうる。そして、第２の膨張弁１１０−ａに入る液体が、熱交換器１０９−ａがない場合にありうる液体より多くの液体を含む状態まで膨張することが可能である。そして、蒸気圧縮サイクル１１７−ｃの冷媒１１８−ｃは蒸発器１０６−ｂに流れてよく、そこで煮沸されてよく、これによって、冷却が行われることが可能である。次に、蒸気圧縮サイクル１１７−ｃの冷媒１１８−ｂは、圧縮器１０３−ｂに戻ってよく、これによって、全サイクルが完結してよい。システム３００−ａは、凝固点抑制サイクルを熱駆動ヒートポンプ１１４−ｃとして使用することを示してよいが、吸収ヒートポンプをはじめとして、これに限定されない、他の熱駆動ヒートポンプも利用されてよい。
【００４４】
次に図４を参照すると、様々な実施形態によるシステム４００が示されており、これは、（例えば、凝固点抑制サイクルである）熱駆動ヒートポンプ１１４−ｄと、２段階の蒸気圧縮サイクル１１７−ｄとの間の統合を示しうる。システム４００は、図１のシステム１００の一例であってよく、システム５００は、図２Ａのシステム２００、図２Ｂのシステム２００−ａ、図３のシステム３００、及び／又は図３Ｂのシステム３００−ａの諸態様を含んでよい。圧縮器１０３−ｃから出た、蒸気圧縮サイクル１１７−ｄの冷媒１１８−ｄが熱交換器１０１−ｃに送り込まれてよく、そこでは、冷媒１１８−ｄは、緩熱されてよく、熱駆動ヒートポンプ１１４−ｄの冷媒１０９−ｃ（例えば、凝固点抑制サイクルの凝固点抑制冷媒）を温めてよく、分離器１２３−ｃに部分的又は全面的に動力供給してよい。熱１１６−ｄが蒸気圧縮サイクル１１７−ｄから除去されてよく、熱１１６−ｄは第１の除去された熱と称されてよい。熱交換器１０１−ｃは、第１の熱交換器と称されてよい。熱１１５−ｄは、熱駆動ヒートポンプ１１４−ｄをおおむね駆動することが可能である。そして、蒸気圧縮サイクル１１７−ｄの冷媒１１８−ｄは、凝縮器１０２−ｃに流入してよく、そこで凝縮されてよい。凝縮された冷媒１１８−ｄは、熱交換器１０４−ｃに流入してよく、熱交換器１０４−ｃは液体副冷却器又は第２の熱交換器と称されてよく、そこでは、冷媒１１８−ｄは、熱駆動ヒートポンプ１１７−ｄからの冷媒１０８−ｃによって冷却されてよい。熱１１６−ｄが蒸気圧縮サイクル１１７−ｄから除去されてよく、熱１１６−ｄは第２の除去された熱と称されてよい。熱１１６−ｄを除去することにより、蒸気圧縮サイクル１１７−ｄの冷媒１１８−ｄの温度を下げて周囲温度より低くすることが可能である。例えば、熱駆動ヒートポンプ１１４−ｄの冷媒１０８−ｃは、タンク１２２−ｃ（例えば、氷タンク）からの凝固点抑制冷媒を含んでよい。幾つかの実施形態は、固体（例えば、氷）と、分離器１２３−ｃによって生成された、濃縮された凝固点抑制剤とを組み合わせるか混合することを含んでよく、これによって、この冷たい冷媒１０８−ｃが生成されてよい。熱交換器１０４−ｃから来た、蒸気圧縮サイクル１１７−ｄの冷媒１１８−ｄは、膨張弁１０５−ｃに流れてよく、液体副冷却を使用しない場合に通常発生するであろう液体冷媒より多くの液体冷媒を含む状態まで膨張することが可能である。そして、蒸気圧縮サイクル１１７−ｄの冷媒１１８−ｄは、受容容器１１１−ｂに入ってよく、受容容器１１１−ｂは、フラッシュ中間冷却器と称されてよく、そこでは、冷媒１１８−ｄは液体と蒸気とに分離されてよい。蒸気は圧縮器１０３−ｃに送り返されてよく、液体は熱交換器１０９−ｂに送られてよく、熱交換器１０９−ｂは、第２の液体副冷却器及び／又は第３の熱交換器と称されてよく、そこでは、液体は、熱駆動ヒートポンプ１１４−ｃからの冷たい冷媒（例えば、氷タンク１２２−ｃからの液体）により再度冷却されてよい。熱１１６−ｄ−１が蒸気圧縮サイクル１１７−ｄから除去されてよく、熱１１６−ｄ−１は第３の除去された熱と称されてよい。熱１１６−ｄ−１を除去することにより、蒸気圧縮サイクル１１７−ｄの冷媒１１８−ｄの温度を更に下げて周囲温度より低くすることが可能である。冷媒管路内の１つ以上の弁１１２−ｂが、蒸気圧縮サイクル１１７−ｄの諸態様に応じて、熱交換器１０４−ｃ及び１０９−ｂが順次動作又は並列動作をすることを可能にしうる。そして、液体は、第２の膨張弁１１０−ｂに入ってよく、熱交換器１０９−ｂがない場合にありうる液体より多くの液体を含む状態まで膨張することが可能である。そして、蒸気圧縮サイクル１１７−ｄの冷媒は蒸発器１０６−ｃに流れてよく、そこで煮沸されてよく、これによって、冷却が行われることが可能である。そして、蒸気圧縮サイクル１１７−ｄの冷媒１１８−ｄは、第２の圧縮器１１３に流れてよく、受容容器１１１−ｂの圧力まで加圧されてよい。この過程の間に、蒸気圧縮サイクル１１７−ｄの冷媒１１８−ｄは、熱を再度取り込んでよく、熱交換器１２５に入ってよく、熱交換器１２５は緩熱器及び／又は第４の熱交換器と称せられてよく、そこでは、冷媒１１８−ｄは、より多くの熱１１５−ｄ−１（これは第４の除去された熱と称されてよい）を冷媒１０９−ｃに供給してよく、冷媒１０９−ｃは、（例えば、分離器１２３−ｃに動力供給する為に）熱駆動ヒートポンプ１１４−ｄに部分的又は全面的に動力供給してよい。熱１１５−ｄ−１を除去することにより、熱駆動ヒートポンプ１１４−ｄが駆動されてよい。次に、蒸気圧縮サイクル１１７−ｄの冷媒１１８−ｄは、受容容器１１１−ｂに戻ってよく、これによって、全サイクルが完結してよい。システム４００は、凝固点抑制サイクルを熱駆動ヒートポンプ１１４−ｄとして使用することを示してよいが、吸収ヒートポンプをはじめとして、これに限定されない、他の熱駆動ヒートポンプも利用されてよい。
【００４５】
図５は、様々な実施形態によるシステム５００を示す。システム５００は、図１のシステム１００の一例であってよく、システム５００は、図２Ａのシステム２００、図２Ｂのシステム２００−ａ、図３のシステム３００、図３Ｂのシステム３００−ａ、及び／又は図４のシステム４００の諸態様を含んでよい。システム５００は、熱駆動ヒートポンプ１１４−ｅとブースタ式蒸気圧縮サイクル１１７−ｅとの間の統合を大まかに示しうる。圧縮器１０３−ｄから出うる、蒸気圧縮サイクル１１７−ｅの冷媒１１８−ｅが熱交換器１０１−ｄに送り込まれてよく、熱交換器１０１−ｄは第１の熱交換器と称されてよく、そこでは、冷媒１１８−ｅは、緩熱されてよく、熱駆動ヒートポンプ１１４−ｄの冷媒１０９−ｄを温めてよい。熱１１５−ｅが蒸気圧縮サイクルから除去されてよく、熱１１５−ｅは第１の除去された熱と称されてよい。熱１１５−ｅは、熱駆動ヒートポンプ１１４−ｅを駆動することが可能である。幾つかの実施形態では、熱駆動ヒートポンプ１１４−ｅの冷媒１０９−ｄは、凝固点抑制サイクルの凝固点抑制冷媒を含んでよく、冷媒１０９−ｄは、凝固点抑制サイクルの分離器１２３−ｄに部分的又は全面的に動力供給してよい。そして、蒸気圧縮サイクル１１７−ｅの冷媒１１８−ｅは、凝縮器１０２−ｄに流入してよく、そこで凝縮されてよい。凝縮された、蒸気圧縮サイクル１１７−ｅの冷媒１１８−ｅは、熱交換器１０４−ｄに流入してよく、熱交換器１０４−ｄは液体副冷却器及び／又は第２の熱交換器と称されてよく、そこでは、冷媒１１８−ｅは、熱駆動ヒートポンプ１１４−ｄからの冷媒１０８−ｄによって冷却されてよい。例えば、タンク１２２−ｄ（例えば、氷タンク）からの凝固点抑制冷媒が利用されてよい。幾つかの実施形態は、固体（例えば、氷）と、分離器１２３−ｄによって生成された、濃縮された凝固点抑制剤とを混合して、この冷たい冷媒１０８−ｄを生成することを含む。熱１１６−ｅが蒸気圧縮サイクル１１７−ｅから除去されてよい。熱１１６−ｅを除去することにより、蒸気圧縮サイクル１１７−ｅの冷媒１１８−ｅの温度を下げて周囲温度より低くすることが可能である。熱交換器１０４−ｄから来た、蒸気圧縮サイクル１１７−ｅの冷媒１１８−ｅは、膨張弁１０５−ｄに流れてよく、液体副冷却を使用しない場合に通常発生するであろう液体冷媒より多くの液体冷媒を含む状態まで膨張することが可能である。そして、蒸気圧縮サイクル１１７−ｅの冷媒１１８−ｅは、受容容器１１１−ｃに入ってよく、受容容器１１１−ｃは、フラッシュ中間冷却器と称されてよく、そこでは、冷媒１１８−ｅは液体と蒸気とに分離されてよい。蒸気は、ガスバイパス膨張弁１２７を介して圧縮器１０３−ｄに送り返されてよく、液体は、熱交換器１０９−ｃ及び／又は熱交換器１２９に送られてよく、熱交換器１０９−ｃ及び熱交換器１２９は、幾つかの実施形態では、それぞれ、第３の熱交換器及び第５の熱交換器と称されてよく、そこでは、液体は、熱駆動ヒートポンプ１１４−ｄからの冷たい冷媒により再度冷却されてよい。熱１１６−ｅ−１及び／又は熱１１６−ｅ−２が蒸気圧縮サイクル１１７−ｅから除去されてよく、熱１１６−ｅ−１は第３の除去された熱と称されてよく、熱１１６−ｅ−２は、幾つかの実施形態では、第５の除去された熱と称されてよい。熱１１６−ｅ−１及び／又は熱１１６−ｅ−２を除去することにより、蒸気圧縮サイクル１１７−ｅの冷媒１１８−ｅの温度を更に下げて周囲温度より低くすることが可能である。冷媒管路内の１つ以上の弁１１２−ｃが、蒸気圧縮サイクルの諸態様に応じて、熱交換器１０４−ｄ、熱交換器１０９−ｃ、及び／又は熱交換器１２９が順次動作又は並列動作をすることを可能にしうる。そして、液体は、膨張弁１１０−ｃ及び／又は１２８に入ってよく、熱交換器１０９−ｃ及び／又は１２９がない場合にありうる液体より多くの液体を含む状態まで膨張することが可能である。そして、中間温度膨張弁１２８を通り抜けた、副冷却された冷媒管路は、中間温度蒸発器１２６に入ってよく、そこで煮沸されてよく、これによって、冷却が行われることが可能である。あくまで例として、この場合の中間温度は、０℃に近い温度を意味してよい。低温膨張弁１１０−ｃを通り抜けた、蒸気圧縮サイクル１１７−ｅの冷媒１１８−ｅは、低温蒸発器１０６−ｄに流れてよく、そこで煮沸されてよく、これによって、冷却が行われることが可能である。そして、この、蒸気圧縮サイクル１１７−ｅの冷媒１１８−ｅは、第２の圧縮器１１３−ａに流れてよく、中間温度膨張ガス及びバイパスガスの圧力まで加圧されてよい。この過程の間に、冷媒１１８−ｅは、熱を再度取り込んでよく、熱交換器１２５−ａに入ってよく、熱交換器１２５−ａは第４の熱交換器と称せられてよく、そこでは、冷媒１１８−ｅは、より多くの熱１１５−ｅ−１を熱駆動ヒートポンプ１１４−ｅの冷媒１０９−ｄに供給してよい。熱１１５−ｅ−１を除去することにより、圧縮器１１３−ａから出た冷媒が緩熱されてよく、熱駆動ヒートポンプ１１４−ｅが駆動されてよい。幾つかの実施形態では、これは、分離器１２３−ｄに部分的又は全面的に動力供給してよい。最後に、これら３つの冷媒ストリームのうちの１つ以上が、交わって圧縮器１０３−ｄに流れてよく、これによって、サイクルが完結してよい。システム５００は、凝固点抑制サイクルを熱駆動ヒートポンプ１１４−ｅとして使用することを示してよいが、吸収ヒートポンプをはじめとして、これに限定されない、他の熱駆動ヒートポンプも利用されてよい。
【００４６】
図６Ａは、様々な実施形態による方法６００のフローチャートを示す。方法６００は、図１のシステム１００、図２Ａのシステム２００、図２Ｂのシステム２００−ａ、図３Ａのシステム３００、図３Ｂのシステム３００−ａ、図４のシステム４００、及び／又は図５のシステム５００の諸態様を利用して実施されてよい。
【００４７】
ブロック６１０で、蒸気圧縮サイクルから第１の熱を除去してよい。ブロック６２０で、蒸気圧縮サイクルからの第１の除去された熱を利用して、熱駆動ヒートポンプを駆動してよい。ブロック６３０で、熱駆動ヒートポンプを利用して蒸気圧縮サイクルから第２の熱を除去して、蒸気圧縮サイクルの冷媒の温度を下げて周囲温度より低くしてよい。
【００４８】
方法６００の幾つかの実施形態では、蒸気圧縮サイクルからの第１の除去された熱を利用して熱駆動ヒートポンプを駆動することは、熱駆動ヒートポンプの冷媒から凝固点抑制剤を分離して、濃縮された凝固点抑制剤を形成することを含む。熱駆動ヒートポンプを利用して蒸気圧縮サイクルから第２の熱を除去して、蒸気圧縮サイクルの冷媒の温度を下げて周囲温度より低くすることは、濃縮された凝固点抑制剤に固体物質を組み合わせて、熱駆動ヒートポンプの冷媒の少なくとも一部を形成すること、及び／又は、熱駆動ヒートポンプの冷媒のその一部を利用して、蒸気圧縮サイクルの冷媒の温度を下げて周囲温度より低くすることを含んでよい。幾つかの実施形態では、本方法は、蒸気圧縮サイクルを改善することが可能である。
【００４９】
方法６００の幾つかの実施形態では、蒸気圧縮サイクルから第１の熱を除去することは、蒸気圧縮サイクルの冷媒を、熱駆動ヒートポンプに熱的に結合された第１の熱交換器に通すことを含む。第１の熱交換器は、蒸気圧縮サイクルの圧縮器と、蒸気圧縮サイクルの凝縮器との間に配置されてよい。
【００５０】
方法６００の幾つかの実施形態では、熱駆動ヒートポンプを利用して蒸気圧縮サイクルから第２の熱を除去して、蒸気圧縮サイクルの冷媒の温度を下げて周囲温度より低くすることは、蒸気圧縮サイクルの冷媒を、蒸気圧縮サイクルの凝縮器と、蒸気圧縮サイクルの膨張弁との間に配置された第２の熱交換器に通すことを含む。幾つかの実施形態では、熱駆動ヒートポンプを利用して蒸気圧縮サイクルから第２の熱を除去して、蒸気圧縮サイクルの冷媒の温度を下げて周囲温度より低くすることは、熱駆動ヒートポンプの冷媒を第２の熱交換器に通すことを含む。
【００５１】
方法６００の幾つかの実施形態は、蒸気圧縮サイクルの冷媒が蒸気圧縮サイクルの膨張弁を通り抜けた後に、受容容器を利用して、少なくとも、液体形態の、蒸気圧縮サイクルの冷媒、又は蒸気形態の、蒸気圧縮サイクルの冷媒を受け取ることを含む。幾つかの実施形態は、蒸気形態の冷媒を蒸気圧縮サイクルの圧縮器に誘導すること、及び／又は、液体形態の、蒸気圧縮サイクルの冷媒の少なくとも第１の部分を第３の熱交換器に誘導することを含み、第３の熱交換器は、熱駆動ヒートポンプの冷媒に熱的に結合されてよく、蒸気圧縮サイクルから第３の熱を除去することにより、液体形態の、蒸気圧縮サイクルの冷媒の第１の部分を更に冷却して、その温度を周囲温度より低くしてよい。幾つかの実施形態は、第２の熱交換器及び第３の熱交換器を直列で利用することを含む。幾つかの実施形態は、第２の熱交換器及び第３の熱交換器を並列で利用することを含む。
【００５２】
方法６００の幾つかの実施形態は、液体形態の、蒸気圧縮サイクルの冷媒の少なくとも第２の部分を固体製造機に誘導することによって固体物質を形成することを含む。固体物質としては、例えば、凍結物質があってよい。幾つかの実施形態は、凝固点抑制剤に固体物質を組み合わせて、熱駆動ヒートポンプの冷媒の少なくとも一部を形成すること、及び／又は、熱駆動ヒートポンプの冷媒のその一部を第２の熱交換器に通して、蒸気圧縮サイクルの冷媒の温度を下げて周囲温度より低くすることを含む。
【００５３】
方法６００の幾つかの実施形態は、液体形態の、蒸気圧縮サイクルの冷媒を、第２の膨張弁に誘導すること、及び／又は、第２の膨張弁を通り抜けた、蒸気圧縮サイクルの冷媒を第４の熱交換器に渡して、蒸気圧縮サイクルから第４の熱を除去することを含む。幾つかの実施形態は、蒸気圧縮サイクルからの第４の除去された熱を利用して、熱駆動ヒートポンプを駆動することを含む。幾つかの実施形態では、蒸気圧縮サイクルからの第４の除去された熱を利用して熱駆動ヒートポンプを駆動することは、熱駆動ヒートポンプの冷媒から凝固点抑制剤を分離して、濃縮された凝固点抑制剤を形成することを含む。
【００５４】
方法６００の幾つかの実施形態は、蒸気圧縮サイクルの冷媒を第４の熱交換器から受容容器まで誘導することを含む。幾つかの実施形態は、液体形態の、蒸気圧縮サイクルの冷媒の少なくとも第３の部分を第５の熱交換器に誘導することを含み、第５の熱交換器は、熱駆動ヒートポンプの冷媒に熱的に結合されてよく、蒸気圧縮サイクルから第５の熱を除去することにより、液体形態の、蒸気圧縮サイクルの冷媒の第３の部分を更に冷却して、その温度を周囲温度より低くしてよい。幾つかの実施形態は、蒸気圧縮サイクルの冷媒を第４の熱交換器から圧縮器まで誘導すること、及び／又は、蒸気圧縮サイクルの冷媒を第５の熱交換器から圧縮器まで誘導することを含む。
【００５５】
図６Ｂは、様々な実施形態による方法６００−ａのフローチャートを示す。方法６００は、図１のシステム１００、図２Ａのシステム２００、図２Ｂのシステム２００−ａ、図３Ａのシステム３００、図３Ｂのシステム３００−ａ、図４のシステム４００、及び／又は図５のシステム５００の諸態様を利用して実施されてよい。方法６００−ａは、図６Ａの方法６００の一例であってよい。
【００５６】
ブロック６１０−ａで、蒸気圧縮サイクルから第１の熱を除去してよい。ブロック６２０−ａで、熱駆動ヒートポンプの冷媒から凝固点抑制剤を分離して、濃縮された凝固点抑制剤を形成することにより、蒸気圧縮サイクルからの第１の除去された熱を利用して、熱駆動ヒートポンプを駆動してよい。ブロック６３０−ａ−１で、濃縮された凝固点抑制剤に固体物質を組み合わせて、熱駆動ヒートポンプの冷媒の少なくとも一部を形成してよい。ブロック６３０−ａ−２で、熱駆動ヒートポンプの冷媒のその一部を利用して、蒸気圧縮サイクルの冷媒の温度を下げて周囲温度より低くしてよい。
【００５７】
これらの実施形態は、材料及びプロセス機器のあらゆる組み合わせ及び順列を網羅しているわけではない。しかしながら、これらは、本発明の方法、装置、及び／又はシステムの利用可能性の範囲を示しうる。これらの様々な実施形態は、記載されたそれらの実施形態より多いか少ない段階を利用するものであってよい。
【００５８】
なお、上述の方法、システム、及び装置は単なる例であるものとする。強調すべきこととして、様々な実施形態が様々な手順又は構成要素を必要に応じて省略したり、置き換えたり、追加したりしてよい。例えば、当然のこととして、代替実施形態では、本方法は記載の順序と異なる順序で実施されてよく、様々な段階が追加、省略、又は結合されてよい。更に、特定の実施形態に関して記載された特徴が、他の様々な実施形態において組み合わされてよい。実施形態の様々な態様及び要素も同様に組み合わされてよい。更に、強調すべきこととして、技術は進化するものであり、従って、それらの要素の多くは本質的に例示的であって、実施形態の範囲を限定するものと解釈されるべきではない。
【００５９】
本明細書では、実施形態が十分に理解されるように具体的な詳細を示している。しかしながら、当業者であれば理解されるように、実施形態は、そのような具体的詳細がなくても実施可能である。例えば、実施形態が曖昧にならないように、よく知られている回路、プロセス、アルゴリズム、構造、及び技術については、不要な詳細を省略して示している。
【００６０】
更に、実施形態は、フロー図又はブロック図として、或いは段階として描かれることが可能なプロセスとして記載可能であることに注目されたい。各実施形態では複数の動作が順次プロセスとして記載されている場合があるが、それらの動作の多くは、並列又は同時に実施されてよい。更に、動作の順序は並べ替えられてよい。プロセスは、図面に含まれていない更なる段階を有してよい。
【００６１】
幾つかの実施形態を説明してきたが、当業者であれば理解されるように、それらの様々な実施形態の趣旨から逸脱しない限り、様々な修正、代替構造、及び等価物が用いられてよい。例えば、上述の各要素は、単に、より大きなシステムの構成要素であってよく、様々な実施形態の適用に対して、他のルールが優先されてよく、或いは他の形で修正を加えてよい。更に、上述の要素の考慮前、考慮中、又は考慮後に幾つかの段階が開始されてよい。従って、ここまでの記述は、様々な実施形態の範囲を限定するものと解釈されるべきではない。
【図１】
2020512521.tif 000003
【図２Ａ】
2020512521.tif 000004
【図２Ｂ】
2020512521.tif 000005
【図３Ａ】
2020512521.tif 000006
【図３Ｂ】
2020512521.tif 000007
【図４】
2020512521.tif 000008
【図５】
2020512521.tif 000009
【図６Ａ】
2020512521.tif 000010
【図６Ｂ】
2020512521.tif 000011
【手続補正書】
【提出日】令和1年11月28日(2019.11.28)
【手続補正１】
【補正対象書類名】明細書
【補正対象項目名】０００１
【補正方法】変更
【補正の内容】
【０００１】
米国政府のライセンス権
本発明は、全米科学財団により授与された契約1533939に基づく米国政府の支援によりなされましたものである。米国政府は、本発明に一定の権利を有する。
本発明は、サイクルエンハンスメントの方法、システム、及び装置に関するものである。
【国際調査報告】
2020512521.tif 000012